(57)【特許請求の範囲】
【請求項１】
スクリーン基板の観察面に複数の反射部を有し、前記観察面の法線に対して垂直方向にずれた位置に配置された投影部から、前記観察面に向けて斜めに射出された投影光を、観察側に反射する反射スクリーンであって、
前記反射部は、凹または凸の球状面を有し、前記投影部からの距離に応じて径が漸次大きく形成されていることを特徴とする反射スクリーン。
【請求項２】
請求項１記載の反射スクリーンにおいて、
前記反射部は、前記投影部からの距離に応じて疎となる分布で配置されることを特徴とする反射スクリーン。
【請求項３】
請求項１または２に記載の反射スクリーンにおいて、
前記反射部は、前記投影部を臨む面に反射膜を有するとともに、前記反射膜の非形成領域に光吸収面を有することを特徴とする反射スクリーン。
【請求項４】
請求項１から３のいずれか一項に記載の反射スクリーンにおいて、
前記スクリーン基板の前記観察面側に保護層が設けられていることを特徴とする反射スクリーン。
【請求項５】
請求項１から３のいずれか一項に記載の反射スクリーンにおいて、
前記スクリーン基板は光透過性を有する材料によって形成され、
前記凹の球状面は、前記スクリーン基板の前記観察面と反対側の面に設けられた凹部に形成されることを特徴とする反射スクリーン。
【請求項６】
請求項１から３のいずれか一項に記載の反射スクリーンにおいて、
前記スクリーン基板は光透過性を有する材料によって形成され、
前記凸の球状面は、前記スクリーン基板の前記観察面と反対側の面に設けられた凸部に形成されることを特徴とする反射スクリーン。
【請求項７】
請求項１から６のいずれか一項に記載の反射スクリーンにおいて、
前記スクリーン基板の前記観察面側に反射防止層が設けられていることを特徴とする反射スクリーン。
【請求項８】
請求項１から７のいずれか一項に記載の反射スクリーンにおいて、
前記スクリーン基板が、可撓性を有する材料によって形成されていることを特徴とする反射スクリーン。
【請求項９】
スクリーン基板の観察面に複数の反射部を有し、前記観察面の法線に対して垂直方向にずれた位置に配置された投影部から、前記観察面に向けて斜めに射出された投影光を、観察側に反射する反射スクリーンの製造方法であって、
凹または凸の球状面を有する前記反射部を、前記投影部からの距離に応じて径を漸次大きくして形成する工程を有することを特徴とする反射スクリーンの製造方法。
【請求項１０】
請求項９記載の反射スクリーンの製造方法において、
前記反射部の径は、前記観察面からの前記投影光の反射分布に応じて調整されることを特徴とする反射スクリーンの製造方法。
【請求項１１】
請求項９または１０記載の反射スクリーンの製造方法において、
前記反射部を前記投影部からの距離に応じて疎となる分布で配置することを特徴とする反射スクリーンの製造方法。
【請求項１２】
請求項９から１１のいずれか一項に記載の反射スクリーンの製造方法において、
少なくとも前記スクリーン基板の前記観察面側に光吸収面を形成する工程と、
前記反射部の前記投影部を臨む面に反射膜を形成する工程とを有することを特徴とする反射スクリーンの製造方法。
【請求項１３】
請求項１２記載の反射スクリーンの製造方法において、
ターゲットを有する蒸着源を前記投影部に配置し、前記ターゲットを前記反射部の前記投影部を臨む面に蒸着することを特徴とする反射スクリーンの製造方法。
【請求項１４】
請求項１２記載の反射スクリーンの製造方法において、
前記反射部は、凹の球状面を有し、
前記スクリーン基板の前記観察面側に、前記反射部に対応する位置に開口部を有するマスクを設ける工程と、
前記マスクを設けた前記スクリーン基板を、前記投影部からの距離が大きい側からエッチング液に浸漬する工程と、
前記エッチング液に浸漬した前記スクリーン基板を前記投影部からの距離が小さい側から引き上げる工程とを有することを特徴とする反射スクリーンの製造方法。
【請求項１５】
請求項９から１４のいずれか一項に記載の反射スクリーンの製造方法において、
前記スクリーン基板の前記観察面側に保護層を設ける工程を有することを特徴とする反射スクリーンの製造方法。
【発明の詳細な説明】
【技術分野】
【０００１】
本発明は、反射スクリーンとその製造方法に関するものである。
【背景技術】
【０００２】
従来から、投影画像を反射させて観察可能にする反射スクリーンが知られている。このような反射スクリーンとして、スクリーン基板の前面側に同一形状の多数の凸状の単位形状部が２次元的に規則的に配置され、凸状の単位形状部の投影光入射方向に向かう一部の表面部分にのみに反射面が形成されている反射スクリーンが開示されている（例えば、特許文献１参照）。
【特許文献１】特開２００６−２１５１６２号公報
【発明の開示】
【発明が解決しようとする課題】
【０００３】
しかしながら、上述したような従来技術には、以下のような問題が存在する。
例えばプロジェクタをスクリーン前方の下方側に配置し、プロジェクタからスクリーンに向けて斜め上方に投影画像を照射した場合、スクリーンの表面が凸形状の球状面に形成されていることから、スクリーンの下側は上側と比較して入射角が小さくなる。その結果、球状面で反射した投影光は、スクリーン上側と比較すると、スクリーン下側の方が上側に抜ける割合が多くなるため、反射スクリーン前方の観察者側に十分に反射されず、投影画像のコントラストが低下するという問題がある。
【０００４】
本発明は、以上のような点を考慮してなされたもので、斜め方向からの光を反射スクリーンの前方の観察側に均一に反射させ、投影画像のコントラストを向上させることができる反射スクリーンとその製造方法を提供することを目的とする。
【課題を解決するための手段】
【０００５】
上記の目的を達成するために本発明は、以下の構成を採用している。
本発明の反射スクリーンは、スクリーン基板の観察面に複数の反射部を有し、前記観察面の法線に対して垂直方向にずれた位置に配置された投影部から、前記観察面に向けて斜めに射出された投影光を、観察側に反射する反射スクリーンであって、前記反射部は、凹または凸の球状面を有し、前記投影部からの距離に応じて径が漸次大きく形成されていることを特徴とするものである。
従って、本発明の反射スクリーンでは、投影部からの距離が大きい位置における反射部の数が減るため、投影光を観察側に反射する箇所も減ることになる。そのため、本発明では、投影部からの距離が大きい位置の反射部からの観察側への反射光が減り、投影部からの距離が小さい位置の反射部からの反射光と同等とすることができ、投影光を反射スクリーンの前方の観察側に均一に反射させることが可能になる。
【０００６】
前記反射部の径としては、前記観察面からの前記投影光の反射分布に応じて調整される構成を好適に採用できる。
これにより、本発明では、例えば反射スクリーンの端縁部等、投影光の反射が少ない箇所には反射部の径を小さくして反射部の数を増やし、反射量を大きくするように調整することができる。
【０００７】
前記反射部としては、前記投影部からの距離に応じて疎となる分布で配置される構成も好適に採用できる。
従って、本発明の反射スクリーンでは、投影部からの距離が大きい位置における反射部の数を減らすことができる。
【０００８】
前記反射部としては、前記投影部を臨む面に反射膜を有するとともに、前記反射膜の非形成領域に光吸収面を有する構成も好適に採用できる。
これにより、本発明では、投影部から投影された投影光を反射膜によってスクリーン基板の観察側に反射させると共に、反射膜の非形成領域で外光を吸収し、投影画像のコントラストを向上させることができる。また、反射部が凹の球状面を有する場合には、反射膜が凹状に形成されているので、反射スクリーンの外縁部に照射された投影光を反射スクリーンの法線方向により近い方向に反射させ、投影画像のコントラストを向上させることができる。
【０００９】
また、本発明の反射スクリーンは、前記スクリーン基板の前記観察面側に保護層が設けられていることを特徴とする。
このように構成することで、反射膜の損傷や劣化を防止することができる。
【００１０】
また、本発明では、前記スクリーン基板は光透過性を有する材料によって形成され、前記凹の球状面が、前記スクリーン基板の前記観察面と反対側の面に設けられた凹部に形成される構成も好適に採用できる。
このように構成することで、観察側から見て反射膜は凸状に形成される。投影光は、スクリーン基板を透過し、凸状の反射膜で反射して観察側に反射される。また、スクリーン基板自体を反射スクリーンの観察面側に対して反射膜の保護層として機能させることができる。
【００１１】
また、本発明では、前記スクリーン基板は光透過性を有する材料によって形成され、前記凸の球状面は、前記スクリーン基板の前記観察面と反対側の面に設けられた凸部に形成される構成も好適に採用できる。
このように構成することで、観察側から見て反射膜は凹状に形成される。投影光は、スクリーン基板を透過し、凹状の反射膜で反射して観察側に反射される。これにより、反射スクリーン外縁部に照射された投影光をより法線方向に近い方向に反射させ、反射スクリーンの投影画像のコントラストを向上させることができる。
また、光透過性を有するスクリーン基板を反射膜の保護層として機能させることができる。
【００１２】
また、本発明の反射スクリーンは、前記スクリーン基板の前記観察面側に反射防止層が設けられていることを特徴とする。
このように構成することで、投影光および外光が反射膜以外で反射することを防止して、投影画像のコントラストを向上させることができる。
【００１３】
また、本発明の反射スクリーンは、前記スクリーン基板が、可撓性を有する材料によって形成されていることを特徴とする。
このように構成することで、可撓性を有する反射スクリーンを形成することができ、反射スクリーンの巻き取り収納が可能となる。
【００１４】
一方、本発明の反射スクリーンの製造方法は、スクリーン基板の観察面に複数の反射部を有し、前記観察面の法線に対して垂直方向にずれた位置に配置された投影部から、前記観察面に向けて斜めに射出された投影光を、観察側に反射する反射スクリーンの製造方法であって、凹または凸の球状面を有する前記反射部を、前記投影部からの距離に応じて径を漸次大きくして形成する工程を有することを特徴とするものである。
従って、本発明の反射スクリーンの製造方法では、投影部からの距離が大きい位置における反射部の数が減るため、投影光を観察側に反射する箇所も減ることになる。そのため、本発明では、投影部からの距離が大きい位置の反射部からの反射光が減り、投影部からの距離が小さい位置の反射部からの反射光と同等とすることができ、投影光を反射スクリーンの前方の観察側に均一に反射させることが可能になる。
【００１５】
前記反射部の径としては、前記観察面からの前記投影光の反射分布に応じて調整されることが好ましい。
これにより、本発明では、例えば反射スクリーンの端縁部等、投影光の反射が少ない箇所には反射部の径を小さくして反射部の数を増やし、反射量を大きくするように調整することができる。
【００１６】
また、本発明では、前記反射部を前記投影部からの距離に応じて疎となる分布で配置する手順も好適に採用できる。
これにより、本発明では、投影部からの距離が大きい位置における反射部の数を減らすことができる。
【００１７】
また、本発明では、少なくとも前記スクリーン基板の前記観察面側に光吸収面を形成する工程と、前記反射部の前記投影部を臨む面に反射膜を形成する工程とを有する手順も好適に採用できる。
これにより、本発明では、投影部から投影された投影光を反射膜によってスクリーン基板の観察側に反射させると共に、反射膜の非形成領域で外光を吸収し、投影画像のコントラストを向上させることができる。また、反射部が凹の球状面を有する場合には、反射膜が凹状に形成されているので、反射スクリーンの外縁部に照射された投影光を反射スクリーンの法線方向により近い方向に反射させ、投影画像のコントラストを向上させることができる。
【００１８】
上記手順においては、ターゲットを有する蒸着源を前記投影部に配置し、前記ターゲットを前記反射部の前記投影部を臨む面に蒸着することが好ましい。
これにより、本発明では、反射部において投影光が投影される箇所にターゲットを蒸着して容易に反射面を形成することができる。
【００１９】
また、上記において前記反射部が凹の球状面を有する場合には、前記スクリーン基板の前記観察面側に、前記反射部に対応する位置に開口部を有するマスクを設ける工程と、前記マスクを設けた前記スクリーン基板を、前記投影部からの距離が大きい側からエッチング液に浸漬する工程と、前記エッチング液に浸漬した前記スクリーン基板を前記投影部からの距離が小さい側から引き上げる工程とを有する手順も好適に採用できる。
【００２０】
これにより、本発明では、前記投影部からの距離が大きい側に位置するマスクの開口部から露出するスクリーン基板はエッチング時間が長くなり、逆に前記投影部からの距離が大きい側に位置するマスクの開口部から露出するスクリーン基板はエッチング時間が短くなる。従って、本発明では、エッチング時間が長くなった反射部はその位置に応じてエッチング量が増えて凹の球状面の径を大きくでき、エッチング時間が短くなった反射部はその位置に応じてエッチング量が減って凹の球状面の径を小さくできる。そのため、スクリーン基板をエッチング液に浸漬する際の速度（時間）を調整することにより、反射部の径の分布を容易に調整することが可能になる。
【００２１】
また、本発明では、前記スクリーン基板の前記観察面側に保護層を設ける工程を有する手順も好適に採用できる。
これにより、本発明では、反射膜の損傷や劣化を防止することができる。
【発明を実施するための最良の形態】
【００２２】
以下、本発明の反射スクリーンとその製造方法の実施の形態を、図１ないし図１０を参照して説明する。なお、以下の各図面では、各層や各部材を図面上で認識可能な程度の大きさとするため、各層や各部材ごとに縮尺を適宜変更している。また、以下の説明においては、ＸＹＺ直交座標系を設定し、このＸＹＺ直交座標系を参照しつつ各部材の位置関係について説明する。鉛直面内における所定方向をＸ軸方向、鉛直面内においてＸ軸方向と直交する方向をＹ軸方向、Ｘ軸方向及びＹ軸方向のそれぞれに直交する方向をＺ軸方向とする。
【００２３】
（第１実施形態）
図１に示すように、反射スクリーン１００は、反射スクリーン１００の観察面１００ａの中心点Ｃを通る法線ＮＬに対して垂直方向（Ｙ軸方向）にずれた位置に配置されたプロジェクタＰから、観察面１００ａに向けて斜めに射出された投影光Ｌｐを、反射スクリーン１００の観察側（Ｚ軸正方向側）に反射するものである。反射スクリーン１００は、法線ＮＬがＺ軸と平行になるように配置されている。
【００２４】
プロジェクタＰは投影光Ｌｐを反射スクリーン１００の観察面１００ａに向けて反射するミラーＭを備えている。ここで、投影光ＬｐがミラーＭを備えていないプロジェクタＰから射出されたと仮定した場合のプロジェクタＰの位置を仮想光源位置（投影部）ＰＶとする。仮想光源位置ＰＶもプロジェクタＰと同様に、反射スクリーン１００の観察面１００ａの法線ＮＬに対して垂直方向にずれた位置となる。
【００２５】
プロジェクタＰは、仮想光源位置ＰＶと観察面１００ａとの距離Ｄを約９００ｍｍとし、仮想光源位置ＰＶから反射スクリーン１００の中心点Ｃに向かう投影光Ｌｐと法線ＮＬのなす角度θを約３６°としたときに、反射スクリーン１００に垂直方向の寸法Ｈが約９９６ｍｍ、水平方向（図のＸ軸方向）の寸法Ｗが１７７１ｍｍの画像を投影可能に構成されている。すなわち、反射スクリーン１００は８０インチの投影画像を表示可能な大きさとなっている。
【００２６】
図２および図３に示すように、スクリーン基板１の観察面１ａには、垂直方向（Ｙ軸方向）および水平方向（Ｘ軸方向）に半球状に形成された凹の球状面６を有する凹部（反射部）２が複数配列されている。スクリーン基板１は、例えば、樹脂等の可撓性を有する材料によって形成されている。また、スクリーン基板１は、例えば、染色等によって全体が黒色の光吸収材によって着色され、可視光を吸収可能に形成されている。
【００２７】
また、凹部２は、直径が約２００μｍ以下かつ２０μｍ以上に形成され、且つ仮想光源位置ＰＶからの距離に応じて直径が漸次大きくなるように形成されている。本実施形態では、仮想光源位置ＰＶからの距離に応じて、凹部２の直径を大きくするとともに、配置分布を疎にすることにより、隣り合う凹部２間に露出する観察面１ａの幅に大幅な差が生じないようにしている。
【００２８】
図３に示すように、凹部２の内壁面２ａ（球状面６）の、プロジェクタＰからの投影光Ｌｐが照射される部分に沿って、投影光Ｌｐを反射する反射膜３が形成されている。すなわち、凹部２の内壁面２ａの仮想光源位置ＰＶからの投影光Ｌｐが照射される部分にのみ、反射膜３が形成され、凹部２の内壁面２ａのその他の部分には反射膜３が形成されず、スクリーン基板１の光吸収材によって形成された光吸収面７が露出した状態となっている。
【００２９】
凹部２の内壁面２ａに形成された反射膜３は、観察側から見て凹状に形成されている。
反射膜３の面積は、スクリーン基板１の観察面１ａの垂直方向上方（Ｙ軸正方向）側に近づくにつれて徐々に小さくなるように形成されている。反射膜３は、例えば、アルミニウム等の反射性を有する材料によって、後述する蒸着により膜厚が１０ｎｍ以上かつ５μｍ以下となるように形成されている。
【００３０】
スクリーン基板１の観察面１ａ上には、反射膜３およびスクリーン基板１の観察面１ａを覆う保護層４が形成されている。保護層４は、例えば樹脂等の、可撓性を有する透明な材料によって形成されている。保護層４の上層側でスクリーン基板１の観察面１ａ側の最表面には、反射防止層５が形成されている。反射防止層５は、保護層４と同様の材料によって形成され、保護層４の表面４ａでの投影光Ｌｐや外光等の反射を防止するように、保護層４との間で屈折率が調整されている。この反射防止層５の表面が反射スクリーン１００の観察面１００ａとなっている。
【００３１】
次に、上記構成のスクリーン基板１を製造する方法について説明する。
まず、図４に示すように、平板状のスクリーン基板１上にマスクＭを形成する。このマスクＭは、酸化クロム（ＣｒＯ）層Ｍａとクロム（Ｃｒ）層Ｍｂとを、スパッタ等により順次積層して形成されたものである。
続いて、このようにスクリーン基板１上に形成されたマスクＭに対して、凹部２を形成する位置に開口部Ｋを形成する。開口部Ｋは、フォトエッチングやレーザ加工等により形成することができる。
【００３２】
次に、図５に示すように、エッチング槽８に貯留されたエッチング液ＥＬに、マスクＭが形成されたスクリーン基板１を浸漬する。エッチング液ＥＬとしては、例えば一水素二フッ化アンモニウム系のものを用いることができる。
また、ここでは、スクリーン基板１を、仮想光源位置ＰＶからの距離が遠い側（すなわち直径が大きい凹部２が形成される側）の端部からエッチング液ＥＬに浸漬する。スクリーン基板１をエッチング液ＥＬに浸漬する速度としては、最大径の凹部２に対応する位置の開口部Ｋと、最小径の凹部２に対応する位置の開口部Ｋとがエッチング液ＥＬに浸漬される時間に所定の時間差が生じる大きさに設定される。
【００３３】
例えば、エッチング液ＥＬへの浸漬により、スクリーン基板１が単位時間あたりにエッチングされる厚さをｗ、凹部２の最大径（最大半径）と最小径（最小半径）との差をＲｓ、Ｙ方向における最大径の凹部２と最小径の凹部２との中心間距離（すなわち、対応する開口部Ｋの中心間距離）をＬｃとすると、浸漬速度Ｖは以下の式で表される。
Ｖ＝（Ｌｃ×ｗ）／Ｒｓ  …（１）
【００３４】
このように、凹部２の直径に所定の差を生じさせるためには、式（１）に基づく速度でスクリーン基板１をエッチング液ＥＬに浸漬し、各凹部２の直径の大きさは、図６に示すように、スクリーン基板１全体をエッチング液ＥＬに浸漬させておく保持時間を調整することにより調整される。
このように浸漬速度及び保持時間を調整することにより、仮想光源位置ＰＶからの距離に応じて径が漸次大きくなる凹部２を有するスクリーン基板１を形成することができる。
【００３５】
次に、凹部２を形成したスクリーン基板１全体を、例えば、染色等により黒色に着色する。
続いて、凹部２に反射膜３を形成する。
図３に示すように、スクリーン基板１の観察側（Ｚ軸正方向側）で、スクリーン基板１の観察面１ａの法線ＮＬに対して垂直方向下方側（Ｙ軸負方向側）にずれた位置の仮想光源位置ＰＶに蒸着源Ｓを配置する。そして、蒸着法により反射膜材料を観察面１ａに対して斜めに蒸着させ、凹部２の内壁面２ａに反射膜３を形成する。反射膜材料としては、例えば、アルミニウム等の反射性に優れた金属材料を用いることができる。
【００３６】
蒸着法により反射膜３を形成する際には、観察面１ａの各凹部２に対する反射膜材料の蒸着の角度θｓが、観察面１ａの各凹部２に対する仮想光源位置ＰＶからの投影光Ｌｐの入射角度θｐと等しくなるようにターゲットとしてアルミニウム等を有する蒸着源Ｓを配置して、投影光Ｌｐの入射方向から各凹部２に反射膜材料を蒸着させる。
なお、観察面１ａについては、反射膜が成膜されないように、マスクを配しておくことが好ましい。
【００３７】
これにより、凹部２における仮想光源位置ＰＶを臨む位置の内壁面２ａの投影光Ｌｐが照射される部分に沿って、観察側（Ｚ軸正方向側）から見て凹状の反射膜３が、蒸着源Ｓを中心に、観察面１ａに放射状に形成される。このとき、反射膜３の膜厚は、例えば約１０ｎｍ以上かつ約５μｍ以下程度に形成される。
また、このように斜め方向から蒸着法により反射膜３を形成することで、反射膜３の膜厚が反射膜３の非形成領域側の外縁３ｅに近づくに従って徐々に薄くなるように形成される。
また、反射膜３を蒸着法により形成することで、スプレーコート方法、印刷方法等よりも薄く高品質な反射膜３を形成することができる。
【００３８】
また、蒸着源Ｓを上述のように配置して反射膜材料を投影光Ｌｐの入射方向から斜めに蒸着させることで、スクリーン基板１がマスクとして機能し、凹部２の投影光Ｌｐが照射される部分に合わせて、部分的に反射膜３を形成することができる。また、蒸着源Ｓからの距離が遠くなるほど、凹部２の内壁面２ａの反射膜３が形成される部分の面積が縮小し、反射膜３の非形成領域（光吸収面７）が拡大する。
また、観察面１ａに対する反射膜材料の蒸着の角度θｓを仮想光源位置ＰＶからの投影光Ｌｐの入射角度θｐと等しくなるようにすることで、蒸着源Ｓから各凹部２までの投影光Ｌｐの入射方向の距離の差による反射膜３の面積の差を小さくすることができる。
また、蒸着による反射膜３形成時の真空度は、例えば、約１×１０−４Ｔｏｒｒ〜約１×１０−５Ｔｏｒｒの範囲であることが望ましい。このようにすることで、形成された反射膜３の表面３ａの粗度を上昇させ、より明るい投影画像を得ることができる。
【００３９】
次に、図３に示したように、凹部２の内壁面２ａ（球状面６）を含むスクリーン基板１の観察面１ａに保護層４を形成する。保護層４は、例えば、透明な樹脂等、光透過性を有する材料により形成する。さらに保護層４の表面に、反射防止層５を形成する。反射防止層５は、保護層４と同様の材料により形成され、反射防止層５に入射する投影光Ｌｐや外光が保護層４の表面で反射しないように、保護層４との間で屈折率が調整されている。
以上、本実施形態の反射スクリーン１００の製造方法によれば、図３に示すような反射スクリーン１００を製造することができる。
【００４０】
次に、上記の反射スクリーン１００の作用について説明する。
図１に示すように、プロジェクタＰはミラーＭに向けて投影光Ｌｐを射出する。ミラーＭに向けて射出された投影光Ｌｐは、ミラーＭによって反射され、仮想光源位置ＰＶから射出されたと仮定した投影光Ｌｐと同様に、スクリーン基板１の観察面１ａに対して斜めに入射する。このとき、反射スクリーン１００の中心点Ｃに入射する投影光Ｌｐと、反射スクリーン１００の観察面１００ａとのなす角度θは、約３６°となっている。
【００４１】
反射スクリーン１００の観察面１００ａに到達した投影光Ｌｐは、図７に示すように、反射防止層５に入射する。反射防止層５に入射した投影光Ｌｐは、反射防止層５を透過して保護層４に入射する。このとき、反射防止層５は保護層４との間で屈折率が調整されているので、反射防止層５を透過した投影光Ｌｐが保護層４の表面４ａで反射することが防止される。
保護層４に入射した投影光Ｌｐは、保護層４を透過して凹部２の内壁面２ａに形成された反射膜３に到達する。反射膜３に到達した投影光Ｌｐは、反射膜３によって反射スクリーン１００の観察側に反射される。
【００４２】
ここで、図２に示すように、凹部２は、仮想光源位置ＰＶからの距離に応じて直径が漸次大きくなるように形成されているため、仮想光源位置ＰＶからの距離が大きい位置の凹部２は距離が小さい位置の凹部２よりも分布が疎になって個数が少なくなる。そのため、仮想光源位置ＰＶからの距離が大きい位置の凹部２については、観察側への反射に寄与する面積がトータルで仮想光源位置ＰＶからの距離が小さい位置の凹部２に比べて減ることになる。その結果、仮想光源位置ＰＶからの距離が小さい位置の凹部２で反射した投影光Ｌｐが、観察側ではなく＋Ｙ側へ抜ける割合が大きく輝度が低下しやすい状況であっても、仮想光源位置ＰＶからの距離が大きい位置の凹部２についても輝度を抑えることができる。
【００４３】
一方、反射スクリーン１００の観察面１００ａには、投影光Ｌｐ以外に、図７に示すように、スクリーン基板１の垂直方向の上方（Ｙ軸正方向側）から外光Ｌｏが入射する。観察面１００ａに入射した外光Ｌｏは、反射防止層５に入射して、反射防止層５を透過し、保護層４の表面４ａに到達する。
ここで、反射スクリーン１００には、反射防止層５が形成されているので、観察面１００ａの上方から観察面１００ａに入射した外光Ｌｏが、保護層４の表面４ａで観察側に反射することが防止される。
【００４４】
そして、保護層４の表面４ａに到達した外光Ｌｏは、保護層４を透過して凹部２に入射する。凹部２に入射した外光Ｌｏは、凹部２の図示下方側の反射膜３の非形成領域に位置する光吸収面７に到達する。
ここで、スクリーン基板１は、上述のように可視光を吸収可能な光吸収面７を有しているので、凹部２の内壁面２ａの反射膜３の非形成領域にある光吸収面７に到達した外光Ｌｏは、スクリーン基板１（光吸収面７）によって吸収される。また、スクリーン基板１の凹部２の非形成領域に到達した外光Ｌｏも、同様にスクリーン基板１によって吸収される。さらに、反射膜３は凹部２の上方側の、投影光Ｌｐが入射する部分のみに形成されているので、外光Ｌｏは反射膜３に入射しない。
したがって、反射スクリーン１００の観察面１００ａに入射した外光Ｌｏが、観察側に反射されることが防止できる。
【００４５】
このように、反射防止層５は、プロジェクタＰから反射スクリーン１００の観察面１００ａに入射する投影光Ｌｐに対しては、投影光Ｌｐを反射膜３により確実に到達させ、投影光Ｌｐの反射率を向上させる効果がある。一方、観察面１００ａに入射する外光Ｌｏに対しては、外光Ｌｏを保護層４によって観察側に反射させず、スクリーン基板１に吸収させる効果がある。したがって、上述のように反射防止層５を形成することで、反射スクリーン１００のコントラストを向上させることができる。
【００４６】
以上のように、本実施形態では、凹部２が仮想光源位置ＰＶからの距離に応じて直径が漸次大きくなるように形成されているため、仮想光源位置ＰＶからの距離が小さい位置の凹部２で反射した投影光Ｌｐが、観察側ではなく＋Ｙ側へ抜ける割合が大きく輝度が低下しやすい状況であっても、仮想光源位置ＰＶからの距離が大きい位置の凹部２についても輝度を抑えることができ、斜め方向からの投影光Ｌｐを反射スクリーン１００の前方の観察側に均一に反射させて、投影画像のコントラストを向上させることが可能になる。特に、本実施形態では、凹部２が球状面６を有しており、投影光Ｌｐを反射スクリーン１００の前方の観察側に反射させる面積がその一部であることから、配置分布の粗密を調整することにより、反射光の輝度分布を容易に調整することが可能になる。
しかも、本実施形態では、反射部が凹で形成されているため、凸のように投影光Ｌｐが遮られることなく、凹部２に到達することができ、全体的に輝度を向上させることができる。
【００４７】
また、本実施形態では、仮想光源位置ＰＶに蒸着源Ｓを配置し、凹部２の仮想光源位置ＰＶに臨む位置に反射膜３を形成するため、投影光Ｌｐが照射される位置にのみ反射膜３を形成し、外光Ｌｏが入射するその他の凹部２については光吸収面７に設定できるため、外光Ｌｏが、観察側に反射されることを効果的に防止でき、投影品質を向上させることが可能になる。
【００４８】
加えて、本実施形態では、反射膜３を覆うように保護層４が形成されているので、反射膜３の損傷や劣化を防止することができる。
さらに、スクリーン基板１が可撓性を有する材料によって形成されているので、可撓性を有する反射スクリーン１００を形成することができ、反射スクリーン１００の巻き取りを可能とし、反射スクリーン１００をコンパクトに収納することができる。
【００４９】
さらに、本実施形態では、スクリーン基板１に直径が漸次大きくなる凹部２を製造する際にも、マスクＭを配したスクリーン基板１の浸漬速度を調整するという簡単な工程で、容易、且つ迅速に複数の凹部２を一括的に形成することができ、製造コスト低減及び製造効率の向上に寄与できる。
【００５０】
（第２実施形態）
続いて、反射スクリーン１００の第２実施形態について、図８を参照して説明する。
本実施形態では上述の第一実施形態で説明した反射スクリーン１００と、スクリーン基板１１に凹部２ではなく凸部２１がされている点で異なっている。その他の点は第一実施形態と同様であるので、同一の部分には同一の符号を付して説明は省略する。
図８に示す反射スクリーン２００は、プロジェクタＰに対して、図１に示す第一実施形態の反射スクリーン１００と同様に配置されている。反射スクリーン２００のスクリーン基板１１は、第一実施形態のスクリーン基板１と同様に、可視光を吸収可能に形成されている。
【００５１】
スクリーン基板１１の観察面１１ａには、図８に示すように、複数の半球状の凸部（反射部）２１が形成されている。凸部２１は、図２に示す凹部２と同様に、半球状に形成された凸の球状面２６を有し、スクリーン基板１１の垂直方向（Ｙ軸方向）および水平方向（Ｘ軸方向）に複数配列されている。また、凹部２と同様に、凸部２１は、直径が約２００μｍ以下かつ２０μｍ以上に形成され、且つ仮想光源位置ＰＶからの距離に応じて直径が漸次大きくなるように形成されている。本実施形態でも、仮想光源位置ＰＶからの距離に応じて、凹部２の直径を大きくするとともに、配置分布を疎にすることにより、隣り合う凹部２間に露出する観察面１ａの幅に大幅な差が生じないようにしている。
【００５２】
図８に示すように、凸部２１の表面２１ａの、プロジェクタＰからの投影光Ｌｐが照射される部分に沿って、第一実施形態の反射膜３と同様の反射膜３１が形成されている。反射膜３１は凸部２１の表面２１ａの、投影光Ｌｐが照射される部分のみに形成され、凸部２１の表面２１ａのその他の部分には反射膜３１が形成されず、スクリーン基板１１の一部である凸部２１の表面２１ａが露出した光吸収面２７となっている。また、凸部２１の表面２１ａに形成された反射膜３１は、観察側（Ｚ軸正方向側）から見て凸状に形成されている。
【００５３】
スクリーン基板１１の観察面１１ａ側には、反射膜３１およびスクリーン基板１１の観察面１１ａを覆うように、第一実施形態と同様の保護層４が形成されている。また、保護層４の上層側で、スクリーン基板１１の観察面１１ａ側の最表面には、第一実施形態と同様に、反射防止層５が形成されている。
【００５４】
上記のスクリーン基板１１に凸部２１を形成する方法としては、公知のものを用いることができる。例えば、特開２００４−２８６９０６号公報に記載されているように、凸部２１を形成するための型に、凸部２１に対応する凹部をエッチング等により形成し、型の凹部が形成された面に熱可塑性の樹脂等を、熱を加えながら押し当てることにより、凸部２１を形成することができる。
これにより、略半球状の凸部２１が形成される。
また、上記第１実施形態で説明したマスクＭを用い、エッチング液へ浸漬する際の速度を調整することにより型を形成してもよい。
【００５５】
次に、上記第１実施形態と同様に、スクリーン基板１１全体を、例えば、染色等により黒色に着色する。
次いで、上記と同様に、仮想光源位置ＰＶに蒸着源Ｓを配置し、蒸着法により反射膜材料を観察面１１ａに対して斜めに蒸着させ、凸部２１の表面に反射膜３１を形成する。
この後の工程は、上記第１実施形態と同様である。
【００５６】
次に、この実施の形態の作用について説明する。
図８に示す仮想光源位置ＰＶから射出されたと仮定した投影光Ｌｐは、反射スクリーン２００の観察面２００ａに対して斜めに入射する。
観察面２００ａに到達した投影光Ｌｐは、反射防止層５に入射する。反射防止層５に入射した投影光Ｌｐは、反射防止層５を透過して保護層４に入射する。
このとき、第１実施形態と同様に、反射防止層５によって投影光Ｌｐが保護層４の表面４ａで反射することが防止される。
保護層４に入射した投影光Ｌｐは、保護層４を透過して凸部２１に形成された反射膜３１に到達する。反射膜３１に到達した投影光Ｌｐは、凸状の反射膜３１によって反射スクリーン２００の観察側に反射される。
【００５７】
ここで、凸部２１は、仮想光源位置ＰＶからの距離に応じて直径が漸次大きくなるように形成されているため、仮想光源位置ＰＶからの距離が大きい位置の凸部２１は距離が小さい位置の凸部２１よりも分布が疎になって個数が少なくなる。そのため、仮想光源位置ＰＶからの距離が大きい位置の凸部２１については、観察側への反射に寄与する面積がトータルで仮想光源位置ＰＶからの距離が小さい位置の凸部２１に比べて減ることになる。その結果、仮想光源位置ＰＶからの距離が小さい位置の凸部２１で反射した投影光Ｌｐが、観察側ではなく＋Ｙ側へ抜ける割合が大きく輝度が低下しやすい状況であっても、仮想光源位置ＰＶからの距離が大きい位置の凸部２１についても輝度を抑えることができ、上記第１実施形態と同様の作用・効果を得ることができる。
【００５８】
また、本実施形態では、反射膜３１が半球状の凸部２１の表面２１ａの、投影光Ｌｐが照射される部分に沿って形成されている。これにより、反射膜３１の形状は、反射スクリーン２００の観察面２００ａ側からみて凸面状に形成されるので、反射膜３１が凹面状に形成されている場合と比較して、投影光Ｌｐをより広い角度に反射させて投影画像の視野角を拡大することができる。
【００５９】
（第３実施形態）
続いて、反射スクリーンの第３実施形態について、図９を参照して説明する。
本実施形態では上述の第１実施形態で説明した反射スクリーン１００と、スクリーン基板１２が光透過性を有する材料によって形成され、スクリーン基板１２の観察面１２ａ側とは反対側の面１２ｂに凹部２２が形成されている点で異なっている。その他の点は第一実施形態と同様であるので、同一の部分には同一の符号を付して説明は省略する。
図９に示す反射スクリーン３００は、プロジェクタＰに対して、図１に示す第１実施形態の反射スクリーン１００と同様に配置されている。
【００６０】
図９に示すように、反射スクリーン３００のスクリーン基板１２は、例えば、樹脂等の光透過性および可撓性を備えた材料によって形成されている。スクリーン基板１２の観察面１２ａとは反対側の面１２ｂには、半球状に形成された凹の球状面３６を有する凹部（反射部）２２が複数形成されている。凹部２２は、図２に示す凹部２と同様に、仮想光源位置ＰＶからの距離に応じて直径が漸次大きくなるように形成されている。
【００６１】
凹部２２の内壁面２２ａの、プロジェクタＰからの投影光Ｌｐが照射される部分に沿って、投影光Ｌｐを反射する反射膜３２が形成されている。凹部２２の内壁面２２ａの投影光Ｌｐが照射される部分のみに反射膜３２が形成され、凹部２２の内壁面２２ａのその他の部分には反射膜３２が形成されず、スクリーン基板１２の光吸収材によって形成された光吸収面３７が露出した状態となっている。凹部２２の内壁面２２ａに形成された反射膜３２は、観察側（Ｚ軸正方向側）から見て凸状に形成されている。また、反射膜３２は、第１実施計態の反射膜３と同様の材質および膜厚で形成されている。
【００６２】
スクリーン基板１２の観察面１２ａ側には、スクリーン基板１２の観察面１２ａでの光の反射を防止するように屈折率が調整された反射防止層５１が形成されている。
一方、スクリーン基板１２の観察面１２ａとは反対側の面１２ｂには、光を吸収する材料によって光吸収層１６が形成されている。光吸収層１６は、例えば、染色等によって黒色に着色された樹脂や、黒色の顔料を含有する樹脂等を用いて形成する。光吸収層１６は、凹部２２の内側を含むスクリーン基板１２の観察面１２ａとは反対側の面１２ｂに、反射膜３２を覆うように形成されている。
【００６３】
次に、この実施の形態の作用について説明する。
図１に示すようにプロジェクタＰからミラーＭに向けて投影光Ｌｐが射出され、図９に示す仮想光源位置ＰＶから射出されたと仮定した投影光Ｌｐと同様に、反射スクリーン３００の観察面３００ａに対して斜めに入射する。
観察面３００ａに到達した投影光Ｌｐは、図９に示すように、反射防止層５１に入射する。反射防止層５１に入射した投影光Ｌｐは、反射防止層５１を透過してスクリーン基板１２に入射する。このとき、反射防止層５１によって投影光Ｌｐがスクリーン基板１２の観察面１２ａで反射することが防止される。
スクリーン基板１２に入射した投影光Ｌｐは、スクリーン基板１２を透過して凹部２２に形成された反射膜３２に到達する。反射膜３２に到達した投影光Ｌｐは、観察側から見て凸状に形成された反射膜３２によって反射スクリーン３００の観察側に反射される。
【００６４】
ここで、図２に示す凹部２と同様に、凹部２２は、仮想光源位置ＰＶからの距離に応じて直径が漸次大きくなるように形成されている。また、凹部２２は、上述のように、スクリーン基板１２の観察面１２ａとは反対側の面１２ｂの凹部２２の内壁面２２ａに反射膜３２および光吸収層６が形成されている。このため、反射膜３２は、反射スクリーン３００の観察面３００ａ側から見て凸状に形成され、上述の第２実施形態で説明した凸部２１および反射膜３１と略同様の構成となっている。
すなわち、凹部２２の反射膜３２の非形成領域に入射した外光Ｌｏを、凹部２２に充填された光吸収層１６によって吸収し、外光Ｌｏが反射スクリーン３００の観察側に反射することを防止することができる。また、反射スクリーン３００の水平方向に隣接する凹部２２，２２（観察面３００ａ側から見て凸部）の間に投影光Ｌｐを通過させて、垂直方向に隣接する凹部２２の反射膜３２に入射させることができる。
【００６５】
したがって、本実施形態によれば、上述の第２実施形態と同様の効果を得ることができる。加えて、スクリーン基板１２自体が第２実施形態における保護層４と同様に機能するので、保護層４を形成する必要がなく、反射スクリーン３００の製造工程を簡略化し、生産性を向上させることができる。
【００６６】
（第４実施形態）
次に、本発明の第４実施形態について、図１０を用いて説明する。
本実施形態では上述の第１実施形態で説明した反射スクリーン１００と、スクリーン基板１３が光透過性を有する材料によって形成され、スクリーン基板１３の観察面１３ａとは反対側の面１３ｂに凸部（反射部）２３が形成されている点で異なっている。その他の点は第一実施形態と同様であるので、同一の部分には同一の符号を付して説明は省略する。図１０に示す反射スクリーン４００は、プロジェクタＰに対して、図１に示す第１実施形態の反射スクリーン１００と同様に配置されている
【００６７】
反射スクリーン４００のスクリーン基板１３は、例えば、樹脂等の光透過性および可撓性を備えた材料によって形成されている。スクリーン基板１３の反射観察面１３ａとは反対側の面１３ｂには、半球状に形成された凸の球状面４６を有する凸部２３が複数形成されている。凸部２３は、図２に示す凹部２と同様に、仮想光源位置ＰＶからの距離に応じて直径が漸次大きくなるように、反射スクリーン４００の垂直方向（Ｙ軸方向）および水平方向（Ｘ軸方向）に複数形成されている。
【００６８】
凸部２３の表面２３ａの、プロジェクタＰからの投影光Ｌｐが照射される部分に沿って、投影光Ｌｐを反射する反射膜３３が形成されている。すなわち、図１０に示すように、凸部２３の表面２３ａの投影光Ｌｐが照射される部分のみに反射膜３３が形成され、凸部２３の表面２３ａのその他の部分には反射膜３３が形成されず、スクリーン基板１３の光吸収材によって形成された光吸収面４７が露出した状態となっている。
【００６９】
凸部２３の表面２３ａに形成された反射膜３３は、観察側（Ｚ軸正方向側）から見て凹状に形成されている。また、反射膜３３は、第１実施計態の反射膜３と同様の材質および膜厚に形成されている。
スクリーン基板１３の観察面１３ａには、第３実施形態と同様の反射防止層５１が形成されている。一方、スクリーン基板１３の観察面１３ａとは反対側の面１３ｂには、第３実施形態と同様の光吸収層１６が凸部２３および反射膜３３を覆うように形成されている。
【００７０】
次に、この実施の形態の作用について説明する。
プロジェクタＰからミラーＭに向けて投影光Ｌｐが射出され、図１０に示す仮想光源位置ＰＶから射出された投影光Ｌｐと同様に、反射スクリーン４００の観察面４００ａに対して斜めに入射する。
【００７１】
観察面４００ａに到達した投影光Ｌｐは、反射防止層５１に入射する。反射防止層５１に入射した投影光Ｌｐは、反射防止層５１を透過してスクリーン基板１３に入射する。このとき、反射防止層５１によって投影光Ｌｐがスクリーン基板１３の観察面１３ａで反射することが防止される。
スクリーン基板１３に入射した投影光Ｌｐは、スクリーン基板１３を透過して凸部２３の表面２３ａに形成された反射膜３３に到達する。反射膜３３に到達した投影光Ｌｐは、反射スクリーン４００の観察側から見て凹状に形成された反射膜３３によって反射スクリーン４００の観察側に反射される。
【００７２】
ここで、図２に示す凹部２と同様に、凸部２３は、仮想光源位置ＰＶからの距離に応じて直径が漸次大きくなるように形成されている。また、凸部２３は、上述のように、スクリーン基板１３の観察面１３ａとは反対側の面１３ｂに形成され、表面２３ａに反射膜３３および光吸収層１６が形成されている。このため、反射膜３３は、反射スクリーン４００の観察面４００ａ側から見て凸状に形成され、上述の第１実施形態で説明した凹部２と略同様の構成となっている。
すなわち、凸部２３の反射膜３３の非形成領域に入射した外光を、凸部２３の表面２３ａを覆う光吸収層１６によって吸収し、外光Ｌｏが反射スクリーン４００の観察側に反射することを防止することができる。
【００７３】
したがって、本実施形態の反射スクリーン４００によれば、第１実施形態の反射スクリーン１００と同様の効果が得られるだけでなく、第３実施形態と同様に、保護層４を形成する必要がないので、反射スクリーン４００の製造工程を簡略化し、生産性を向上させることができる。
【００７４】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００７５】
例えば、凹部または凸部の形状は、球状面を有するものであれば、上述した実施形態で説明したような半球状ではなく、半楕円球状、円錐状、扇型、またはこれらの組み合わせであってもよく、これらの形状も球状面に含まれる。
【００７６】
また、凹部または凸部は、仮想光源位置ＰＶからの距離に応じて直径が漸次大きくなるように形成されていれば、平面的な配置は、仮想光源位置ＰＶを中心として放射状に延びる直線上に配置される構成や、スクリーン基板の−Ｙ側の端縁から順次配列される構成、扁平千鳥状に配置したものであってもよい。
さらに、仮想光源位置ＰＶからの距離に応じて直径が漸次大きくなるように形成されていれば、一様に配置する必要はなく、例えば観察面からの投影光Ｌｐの反射分布に偏りが生じている場合には、当該偏りを有する領域の凹部または凸部の径を調整することにより、反射分布（輝度分布）を補正してもよい。  
【００７７】
また、上記実施形態で説明したように、スクリーン基板の全体を染色によって着色するのではなく、観察面側の一部だけを着色したり、観察面のみを黒色に塗装し光吸収用の膜を設けたりしてもよい。
【００７８】
また、上記実施形態では、反射膜を形成する際に蒸着源を仮想光源位置ＰＶに配置して放射状に蒸着する構成としたが、これに限定されるものではなく、例えば矩形の蒸着源をスクリーン基板の−Ｙ側の端縁に沿って平行に配置し、ライン状に蒸着する構成としてもよい。
【図面の簡単な説明】
【００７９】
【図１】本発明の第１実施形態に係る反射スクリーンとプロジェクタの位置関係を示す断面図である。
【図２】本発明の第１実施形態に係る反射スクリーンの正面図である。
【図３】本発明の第１実施形態に係る反射スクリーンの垂直方向の断面図である。
【図４】スクリーン基板１を製造する手順を示す図である。
【図５】スクリーン基板１を製造する手順を示す図である。
【図６】スクリーン基板１を製造する手順を示す図である。
【図７】本発明の第１実施形態に係る反射スクリーンの垂直方向の断面図である。
【図８】本発明の第２実施形態に係る反射スクリーンの垂直方向の断面図である。
【図９】本発明の第３実施形態に係る反射スクリーンの垂直方向の断面図である。
【図１０】本発明の第４実施形態に係る反射スクリーンの垂直方向の断面図である。
【符号の説明】
【００８０】
１、１１、１２、１３…スクリーン基板、  ２、２２…凹部（反射部）、  ３、３１、３２、３３…反射膜、  ４…保護層、  ５、５１…反射防止層、  ６、２６、３６、４６…球状面、  ７、２７、３７…光吸収面、  ２１、２３…凸部（反射部）、  １００、２００、３００…反射スクリーン、  １００ａ、２００ａ…観察面、  Ｌｐ…投影光、  ＮＬ…法線、  ＰＶ…仮想光源位置（投影部）
【図１】
0005040677.tif 000002
【図２】
0005040677.tif 000003
【図３】
0005040677.tif 000004
【図４】
0005040677.tif 000005
【図５】
0005040677.tif 000006
【図６】
0005040677.tif 000007
【図７】
0005040677.tif 000008
【図８】
0005040677.tif 000009
【図９】
0005040677.tif 000010
【図１０】
0005040677.tif 000011